(57)【要約】【課題】毛羽立ちがなく、皮膚に対する刺激がないマスクを提供する。【解決手段】口及び鼻先を含む顔面の対象部位を覆う本体部１０と、耳に係止するための係止部２０とを有するマスクにおいて、前記本体部１０の少なくとも口許部分の外面側が通気性を有する材料で構成され、前記本体部の少なくとも口許の周囲を含む領域において、使用面側内面の皮膚に直接接触する部分に、孔開きプラスチックフィルム３０が設けられている。【選択図】図５
2007014576.tif 000002
【特許請求の範囲】
【請求項１】
口及び鼻先を含む顔面の対象部位を覆う本体部と、耳に係止するための係止部とを有するマスクにおいて、
前記本体部の少なくとも口許部分の外面側が通気性を有する材料で構成され、前記本体部の少なくとも口許の周囲を含む領域において、使用面側内面の皮膚に直接接触する部分に、孔開きプラスチックフィルムが設けられていることを特徴とするマスク。
【請求項２】
前記フィルムの少なくとも内面に親水処理がなされている請求項１記載のマスク。
【請求項３】
開口の大きさが０．１〜３．０ｍｍであり、開口率が１０〜７０％である請求項１または２記載のマスク。
【請求項４】
前記フィルムの使用面側内面と反対側にフィルター素材が設けられている請求項１〜３のいずれか１項に記載のマスク。
【請求項５】
前記フィルター素材の少なくとも前記フィルム側の面に親水処理がなされている請求項１〜４のいずれか１項に記載のマスク。
【発明の詳細な説明】
【技術分野】
【０００１】
本発明は、口及び鼻先を含む顔面の対象部位を覆うマスクに関するものである。
【背景技術】
【０００２】
従来、マスクとしては、ガーゼを複数枚重ねて矩形状となし、その左右両側に耳掛け用のゴム紐を環状に取り付けたものが汎用されてきた。これらは形状的には平板マスクということができるタイプである。
【０００３】
近年では、使い捨てを目的として、不織布を使用したマスクが開発されており、使用時において、口許、鼻の膨らみに追従して形状変形するもの（例えば特許文献１及び特許文献２参照）が提案され、商品化させているものもある。これらは形状的には立体マスクということができるタイプである。
【０００４】
しかしながら、前者の平板マスクは、特に唇に内面が直接接触し易く、会話に際し不便であるなどの難点がある。この点において、後者の立体マスクは有利である。
【０００５】
しかし、マスク内面に不織布材料を使用する限り、その不織布繊維が装着後において肌との移動接触により毛羽立ち、特に敏感な着用者は、その毛羽によりクシャミがでる場合がある。しかも、髭の濃い着用者は、毛先が不織布繊維間に入り、違和感を覚える者もおり、あるいは毛先が不織布繊維間に入った状態でマスクと着用者の肌が相対的に移動することにより、一層毛羽立つことが知見された。
【０００６】
なお、本発明の構成との関係では、特許文献３のものが知られているが、特許文献３のものは、孔開きプラスチックフィルム全体が本体部の構成材料であるのに対し、通気性を有する材料の使用面側内面に孔開きプラスチックフィルムを有する点で相違する。
【特許文献１】特許３６６００３６号公報
【特許文献２】特開２００４‐４９３５６号公報
【特許文献３】特開平１０‐２１１２９４号公報
【発明の開示】
【発明が解決しようとする課題】
【０００７】
そこで、本発明の主たる課題は、毛羽立ちがなく、皮膚に対する刺激がないマスクを提供することにある。
【課題を解決するための手段】
【０００８】
上記課題を解決した本発明は次記のとおりである。
＜請求項１記載の発明＞
口及び鼻先を含む顔面の対象部位を覆う本体部と、耳に係止するための係止部とを有するマスクにおいて、
前記本体部の少なくとも口許部分の外面側が通気性を有する材料で構成され、前記本体部の少なくとも口許の周囲を含む領域において、使用面側内面の皮膚に直接接触する部分に、孔開きプラスチックフィルムが設けられていることを特徴とするマスク。
【０００９】
（作用効果）
皮膚に直接接触する部分の使用面側内面に、孔開きプラスチックフィルムが設けられていることで、皮膚に対して不織布の場合おける刺激性はなく、かつ毛羽立ちもない。したがって、肌触り性に優れたものとなる。また、孔内に髭の毛先が仮に入り込むとしても、マスクが相対的にずれたとき、抵抗なく容易に孔から抜け出ることが理由と思われるが、違和感が生じないことを知見している。
もちろん、孔開きプラスチックフィルムは通気性を阻害しないので、スムーズな呼吸が確保される。
【００１０】
＜請求項２記載の発明＞
前記フィルムの少なくとも内面に親水処理がなされている請求項１記載のマスク。
【００１１】
（作用効果）
プラスチックフィルム自体の材料は、疎水性傾向であるのが大部分であるので、疎水性のフィルムを使用する場合、水分あるいは水蒸気が内表面に滞留しがちとなり、水分の出入りが円滑でなくなる傾向がみられる。そこで、フィルムの少なくとも内面に親水処理をなしておくと、開口を通しての水蒸気の出入りが円滑に行われ、口許部分において適度な湿度を確保できる。
【００１２】
＜請求項３記載の発明＞
開口の大きさが０．１〜３．０ｍｍであり、開口率が１０〜７０％である請求項１または２記載のマスク。
【００１３】
（作用効果）
開口が上記の条件であると、不織布に比較して明らかに通気性及び透湿度が高い状態となり、口許部分において適度な湿度を確保できる効果が顕著になる。また、開口及び開口率は過度に大きいものではないので、肌触り性に優れ、かつ髭が多い着用者にとっても違和感が生じない。
【００１４】
＜請求項４記載の発明＞
前記フィルムの使用面側内面と反対側にフィルター素材が設けられている請求項１〜３のいずれか１項に記載のマスク。
【００１５】
（作用効果）
フィルター素材をフィルムの使用面側内面と反対側に設けることにより、肌触り性に優れたまま、また髭が多い着用者に違和感が生じないまま、フィルター素材によりインフルエンザや花粉の透過を防止する用途に使用することができる。
【００１６】
＜請求項５記載の発明＞
前記フィルター素材の少なくとも前記フィルム側の面に親水処理がなされている請求項１〜４のいずれか１項に記載のマスク。
【００１７】
（作用効果）
さらに、フィルター素材の少なくともフィルム側の面に親水処理をなしておくと、呼吸やくしゃみにより生じやすい水分あるいは水蒸気が内表面に滞留しにくくなり、フィルムとの相乗効果により口許部分において適度な湿度を確保できる。
【発明の効果】
【００１８】
以上のとおり、本発明によれば、上記の作用効果を奏するもので、これを要すれば、毛羽立ちがなく、皮膚に対する刺激がないマスクとなる。
【発明を実施するための最良の形態】
【００１９】
以下、本発明の一実施形態について添付図面を参照しながら詳説する。
（立体マスク例）
図１及び図２は、立体マスクの例を示したもので、口及び鼻先を含む顔面の対象部位を覆う本体部１０と、耳に係止するための係止部２０とを有する。
【００２０】
本体部１０の少なくとも口許部分の外面側が通気性を有する材料で構成され、前記本体部１０の少なくとも口許の周囲を含む領域において、使用面側内面の皮膚に直接接触する部分に、孔開きプラスチックフィルム３０が設けられている。
【００２１】
さらに具体的に説明すると、同図例では、たとえば不織布からなる左右の通気性基材シート１Ａ、１Ｂが、図１基準で左前方で超音波接合や熱溶着により接合され、その接合部２において左右の通気性基材シート１Ａ、１Ｂが一体化されているものである。左右の通気性基材シート１Ａ、１Ｂはそのまま耳部まで延在し、耳部近傍において切れ目や切欠部が形成され、これにより係止部２０、２０が形成されている。
【００２２】
左右の通気性基材シート１Ａ、１Ｂの、図１基準で左方領域は、口及び鼻先を含む顔面の対象部位を覆う本体部１０を構成する部分である。
【００２３】
この本体部１０において、口許の周囲を含む皮膚に直接接触する部分、図示例では顔面の中央部において鼻頭から顎にわたって覆い、かつ中央部両側において両頬のほぼ全体を覆う領域において、マスクの使用面側内面に、孔開きプラスチックフィルム３０Ａ、３０Ｂが設けられている。
【００２４】
この孔開きプラスチックフィルム３０Ａ、３０Ｂの本体部１０への固定は、たとえば、左右のフィルムが、左右の通気性基材シート１Ａ、１Ｂの内面に重ねられた状態で、前述の超音波接合や熱溶着時に併せて接合することで一体化することで行われている。
【００２５】
前記の例に換えて、図５に示すように、耳掛け部を構成する耳掛け部シート３Ａ、３Ｂを、本体部１０を構成する通気性基材シート１Ａ、１Ｂと別体とし、それらをたとえば超音波接合や熱溶着により接合することにより連結したものでもよい。
【００２６】
マスクは、インフルエンザや花粉対策用などの用途がある。インフルエンザウイルスの大きさと花粉の大きさとは異なるので、用途に応じて目の細かさを調整する必要がある。粒径が大きい花粉対策用の場合には、たとえば通気性基材シート１Ａ、１Ｂを不織布とするだけで遮断ができるが、インフルエンザウイルス遮断の場合には、ごく繊維が細く、密度が高い不織布を使用するか、フィルター素材４０を通気性基材シート１Ａ、１Ｂの内面側に設けるのが望ましい。図３には、このフィルター素材４０を介在させた例を示している。
【００２７】
図３の例では、フィルター素材４０として繊維密度が高い不織布を使用して積層構造とし、前述の超音波接合や熱溶着時に併せて接合することで一体化した例であるが、通気性基材シート１Ａと孔開きプラスチックフィルム３０Ａとの周囲、及び通気性基材シート１Ｂと孔開きプラスチックフィルム３０Ｂとの周囲を接合し袋状に形成し、それらの袋体内にそれぞれフィルター素材４０を介在させるようにすることでもよい。
【００２８】
本発明において、立体化手段に限定されない。上記例では、立体マスクとするために、中央部分で縦方向に接合する形態を採ったが、接合部は２以上でもよいし、横方向に接合するようにしてもよい。その他、適宜の方法を採ることができる。また、接合前の展開形状として示す図７の形状のものを、接合部Ｘにおいて超音波接合や熱溶着接合して立体化することができる。１は基材シート、３０は孔開きプラスチックフィルムである。
【００２９】
また、本体部は通気性が必要であるが、その他の部分は、非通気性であってもよい。
【００３０】
（平板マスク例）
図４は、平板マスク例を示したもので、たとえば２枚の織布をフィルター素材４０として縫製などにより、両側部に袋部４１、４１を形成し、これに耳掛け用ゴム４２、４２を通し、さらにフィルター素材４０の内面に孔開きプラスチックフィルム３０を適宜の手段で接合したものである。フィルター素材は不織布であってもよく、袋部４１の形成に超音波シールを使用でき、また、孔開きプラスチックフィルム３０の接合も容易である。
【００３１】
（使用材料等）
本発明において、少なくとも口許の周囲を含む領域において、使用面側内面の皮膚に直接接触する部分に、孔開きプラスチックフィルムが設けられている限り、より広い領域に設けてもよい。
【００３２】
孔開きプラスチックフィルムは公知の形成方法によって得ることができる。たとえば、熱可塑性フィルムをパーフォレーションまたは熱プレス等により開孔したフィルム、もしくはこれと不織布とを複合シートとしたものが挙げられる。この複合シートとする場合、フィルム面を内面とする。
【００３３】
フィルムの少なくとも内面に親水処理がなされているのが望ましい。親水化処理のための手段に限定はないが、たとえばモノオレフィン酸グリセリンやモノラウリン酸ソルビタンをフィルム内面に塗布するのが望ましい。外面（大気側）も親水処理されていてもよい。
【００３４】
図６に概念的に示すフィルムの開口Ｄの大きさは、０．１〜３．０ｍｍ、特に０．１〜１．０ｍｍが望ましい。開口率は１０〜７０％、特に２０〜４０％が望ましい。通気度は１０００〜１００００ｃｃ／ｃｍ2・ｓｅｃ、特に２０００〜５０００ｃｃ／ｃｍ2・ｓｅｃが、透湿度は４００〜１０００ｇ／ｍ2・ｈｒ、特に５００〜９００ｇ／ｍ2・ｈｒが望ましい。フィルムの厚みなどは、主に通気度及び透湿度などから選定すればよいが、１５〜５０μｍとすることが望ましい。
【００３５】
後記表面毛羽立ち試験による０．１ｍｍ以上の起毛がゼロであるのが望ましい。また、人工皮革（旭化成(株)製「サプラーレ」）により２０回摩擦させた学振試験（促進試験）後における表面毛羽立ち試験による０．１ｍｍ以上の起毛がゼロであるのが望ましい。  本発明においては、少なくとも口許の周囲を含む領域においては、孔開きプラスチックフィルム及び基材シートにより少なくとも２層の積層構造を有するが、前述のように、フィルター素材４０を含めて３層にしたり、４層以上にすることも可能である。
【００３６】
基材シートとしては、織布でもよいが、不織布を使用するのが望ましい。好適に使用できる不織布としては、通気性であって、肌に刺激を与えない材料から選択することが好ましい。例えば、メルトブローン、スパンボンド、エアスルー、ポイントボンド、ニードルパンチ、スパンレース等の製造方法から得られる不織布を用いる。特にメルトブローン不織布が望ましい。耳掛け部の構成素材としては、ゴムなどの素材のほか、伸縮性のある不織布を使用することが好ましく、たとえばポリエーテル系、ポリエステル系、ポリカーボネート系グリコール等をブロック共重合したポリエステル系共重合体、ポリアミド系、ポリウレタン系エラストマー、及びこれらと不織布の積層体などを挙げることができる。
【００３７】
主に層間に介在させるフィルター素材としては、メルトブローン、スパンボンド、エアスルー、ポイントボンド、ニードルパンチ、スパンレース等の製造方法から得られる不織布を用いることができる。
【実施例】
【００３８】
（基礎試験）
マスク形成用の各種素材について、特性を調べたところ表１に示すものであった。ここで、開孔フィルム１は米国のＰＧＩ（Ｐｏｌｙｍｅｒ  Ｇｒｏｕｐ，Ｉｎｃ．）社製メッシュフィルム、開孔フィルム２はイタリアのＰＡＮＴＥＸ社製メッシュフィルムである。
【００３９】
試験方法は、次記のとおりである。
（１）通気度：ＪＩＳ Ｐ ８１１７に規定されるガーレー法に準拠して測定
（２）透湿度：ＪＩＳ Ｚ ０２０８に規定されるカップ法に準拠して測定
（３）表面毛羽立ち試験（ＦＲＴ）：試験片（大きさ：３５ｍｍ×２５０ｍｍ）１枚を、乾燥（乾燥温度：１００℃）した後、長手方向に均等な間隔をおいた計測範囲の１００箇所における起毛の合計数を計測し、１０００ｍｍ換算する試験である（計測範囲：４ｍｍ×６０ｍｍ）。
より具体的には、図８に示すように、試験片（大きさ：３５ｍｍ×２５０ｍｍ）１枚を、例えば、ＩＲヒーター等で乾燥（乾燥温度：１００℃）した後、長手方向に均等な間隔をおいた計測範囲の１００箇所における起毛の合計数を、例えば、画像解析によるなどして計測し、１０００ｍｍ換算する試験である（計測範囲：４ｍｍ×６０ｍｍ）。
ここで、「１０００ｍｍ換算」とは、実際の計測範囲６０ｍｍでの起毛数（測定値）を計測範囲１０００ｍｍとした場合の起毛数（計算値）に換算することである。
本表面毛羽立ち試験には、例えば、Ｆｉｂｒｏ社製の１０９０ＦＲＴ（ファイバー・ライジング・テスター）などを使用することができる。同社のテスターは、図９に示すように、試験片１枚を、長手方向に搬送する過程において、ＩＲヒーター等による乾燥を行った後、搬送方向を９０度変更し、この変更によって視認性が良くなった起毛を撮影して撮像情報を得、この撮像情報を解析して、起毛の合計数を計測する試験機である。サンプリングする試験片の数は、特に限定されるものではない。ただし、当然、サンプリング数が多くなるほど精度が良くなり、通常、３以上、好ましくは５以上である。
【００４０】
【表１】
2007014576.tif 000003
【００４１】
表１の結果より、孔開きフィルムを使用する方が、マスクとしての特性に優れることが明らかである。
【００４２】
（実施例）
開孔フィルム１を使用して、図５に示すマスクを作製した。ここで、基材シートとして(株)クラレ製スパンレース不織布を、耳掛け部シート３として中華民国のＧＰＦ（Ｇｏｌｄｅｎ Ｐｈｏｅｎｉｘ Ｆｉｂｅｒｗｅｂｓ，Ｉｎｃ）社製伸縮不織布を使用し、男性１０名が１週間使用に供した。その結果、男性１０名全員が、表１に示す市販の風邪用及び花粉用の両マスクに対し、肌触り性に優れるとの評価を与えた。
【産業上の利用可能性】
【００４３】
本発明は、花粉症等におけるアレルゲンの遮断や、風邪等における感染防止を目的として、鼻や口を覆うマスクの他、広範な用途に適用できるものである。
【図面の簡単な説明】
【００４４】
【図１】第一の立体マスクの形状例を示す斜視図である。
【図２】装着状態の概要説明図である。
【図３】中央部分の水平断面構造例を断面図である。
【図４】平板マスク例の斜視図である。
【図５】第二の立体マスクの形状例を示す斜視図である。
【図６】孔開きプラスチックフィルムの断面図である。
【図７】第三の立体マスクの形状例を内面側からの視点で示す正面図である。
【図８】表面毛羽立ち試験の説明図である。
【図９】表面毛羽立ち試験の説明図である。
【符号の説明】
【００４５】
１…基材シート、１Ａ、１Ｂ…通気性基材シート、３Ａ、３Ｂ…耳掛け部シート、１０…本体部、２０…係止部、３０、３０Ａ、３０Ｂ…孔開きプラスチックフィルム、４０…フィルター素材、Ｄ…開口。
【図１】
2007014576.tif 000004
【図２】
2007014576.tif 000005
【図３】
2007014576.tif 000006
【図４】
2007014576.tif 000007
【図５】
2007014576.tif 000008
【図６】
2007014576.tif 000009
【図７】
2007014576.tif 000010
【図８】
2007014576.tif 000011
【図９】
2007014576.tif 000012
【手続補正書】
【提出日】平成18年6月30日(2006.6.30)
【手続補正１】
【補正対象書類名】明細書
【補正対象項目名】０００９
【補正方法】変更
【補正の内容】
【０００９】
（作用効果）
皮膚に直接接触する部分の使用面側内面に、孔開きプラスチックフィルムが設けられていることで、皮膚に対して不織布の場合における刺激性はなく、かつ毛羽立ちもない。したがって、肌触り性に優れたものとなる。また、孔内に髭の毛先が仮に入り込むとしても、マスクが相対的にずれたとき、抵抗なく容易に孔から抜け出ることが理由と思われるが、違和感が生じないことを知見している。
もちろん、孔開きプラスチックフィルムは通気性を阻害しないので、スムーズな呼吸が確保される。
【手続補正２】
【補正対象書類名】明細書
【補正対象項目名】００４４
【補正方法】変更
【補正の内容】
【００４４】
【図１】第一の立体マスクの形状例を示す斜視図である。
【図２】装着状態の概要説明図である。
【図３】中央部分の水平断面構造例を示す断面図である。
【図４】平板マスク例の斜視図である。
【図５】第二の立体マスクの形状例を示す斜視図である。
【図６】孔開きプラスチックフィルムの断面図である。
【図７】第三の立体マスクの形状例を内面側からの視点で示す正面図である。
【図８】表面毛羽立ち試験の説明図である。
【図９】表面毛羽立ち試験の説明図である。